(57)【要約】【課題】  RFIDシステムに対し、異なる通信方式への対応や、故障時のＩＤデータ読み出し、およびセキュリティを高めることを、簡単な仕組み提供すること。【解決手段】  RFID装置(タグ)に複数の同一または異なるプロトコルに対応したRFIDタグ部を備え、個々のRFIDタグ部間でコマンドデータ通信を可能とすることで、異なる周波数や通信方式や故障時のＩＤデータの読出しを可能とし、複数のＩＤを認識してはじめてRFID装置を正しく認識することで、セキュリティを高めることを可能にするなど、簡単な仕組みで提供することができる。【選択図】  図１
2007334703.tif 000002
【特許請求の範囲】
【請求項１】
無線を用いてRFIDリーダライタ装置から電力の供給を受けて動作する複数のRFIDタグ部を有するRFIDタグにおいて、
前記RFIDタグ部は、
電波で信号の送受信を行うためのアンテナ部と、
前記アンテナ部で受信した電波から動作電力を生成する起電力部と、
前記信号のアナログ処理を行うRF部と、
データを記憶するデータ記憶部と、
前記RFIDリーダライタ装置とのコマンドデータ送受信処理や内部状態管理を行うRFIDプロトコル処理部と、を有し、
個々のRFIDタグ部のうち少なくとも１つは自身のRFIDプロトコル処理部とは異なるプロトコルのRFIDプロトコル処理部をさらに有し、
前記RFIDプロトコル処理部は、個々のRFIDタグ部で同一または異なるように構成され、個々のRFIDタグ部間でコマンドデータ通信可能なことを特徴とするRFIDタグ。
【請求項２】
前記RFIDタグ部のRFIDプロトコル処理部は、前記RFIDリーダライタ装置からRFIDタグ間通信を指示するコマンドデータ処理部を備え、前記RFID間通信を指示するコマンドデータを受信した場合に、他のRFIDタグ部とコマンドデータ通信を行うことを特徴とする請求項１に記載のRFIDタグ。
【請求項３】
前記個々のRFIDタグ部は、無線または有線によるRFID部間通信により、自身のデータ記憶部のデータまたはプロトコル処理部の内部データを、限定された特定のRFID部からのみ参照されることを特徴とする請求項１に記載のRFIDタグ。
【請求項４】
前記RFIDタグ部間でコマンドデータ通信を行う場合に、前記起電力部により生成した電力の一部を、通信する相手のRFIDタグ部に供給することを特徴とする請求項１に記載のRFIDタグ。
【請求項５】
RFIDタグ部間通信処理が可能なRFIDリーダライタ装置において、
電波で信号の送受信を行うためのアンテナ部と、
無線アナログ処理を行うRF部と、
複数のRFIDタグ部を備えRFIDタグ部間通信が可能なRFIDタグとのコマンドデータ送受信処理を行う１つまたは異なる複数のプロトコルのリーダライタプロトコル処理部と、を備え、
前記リーダライタプロトコル処理部が、特定のRFIDタグ部に対し、RFIDタグ部間通信を実行させ、前記RFIDタグ部が他のRFIDタグ部とRFID部間通信を行うことによって得た結果を受信して処理することを特徴とするRFIDリーダライタ装置。
【請求項６】
無線を用いてRFIDリーダライタ装置から電力の供給を受けて動作する複数のRFIDタグ部を有するRFIDを用いたRFIDシステムにおいて、
前記RFIDリーダライタ装置は、
電波と信号の送受信を行うためのアンテナ部と、
無線アナログ処理を行うRF部と、
RFIDタグとのコマンドデータ送受信処理を行う１つまたは異なる複数のプロトコルのリーダライタプロトコル処理部と、を有し、
前記リーダライタプロトコル処理部は、前記RFIDの個々のRFIDタグ部に対し、RFIDタグ部間通信を実行させその応答を処理し、
前記RFIDタグの個々のRFIDタグ部は、
電波で信号の送受信を行うためのアンテナ部と、
前記アンテナ部で受信した電波から動作電力を生成する起電力部と、
送受信信号のアナログ処理を行うRF部と、
データを記憶するデータ記憶部と、
RFIDリーダライタ装置とのコマンドデータ送受信処理や内部状態管理を行うRFIDプロトコル処理部と、を有し、
前記RFIDリーダライタ装置は、前記複数のRFIDタグ部に対し、RFIDタグ部間通信コマンドデータを送信し、前記RFIDタグ部間通信コマンドデータを受信した前記RFIDタグ部は、他のRFIDタグ部とRFIDタグ部間通信を行い、その結果を応答することを特徴とするRFIDシステム。
【請求項７】
RFIDタグ部間通信処理が可能なRFIDリーダライタ装置と、無線を用いて動作する複数のRFIDタグ部を備えRFIDタグ部間通信が可能なRFIDタグとの間で無線で通信を行うRFID通信方法であって、
前記RFIDリーダライタ装置は、前記RFIDタグ部に対し、RFIDタグ部間通信コマンドデータを送信するステップを有し、
前記RFID部間通信コマンドデータを受信したRFIDタグ部は、他のRFIDタグ部とRFID部間通信を行い、その結果を前記RFIDリーダライタ装置に応答するステップを有することを特徴とするRFID通信方法。
【発明の詳細な説明】
【技術分野】
【０００１】
本発明は、RFID（Radio  Frequency  Identification）装置、それを用いたRFIDリーダライタ装置及びシステム及びRFID通信方法に関する。
【背景技術】
【０００２】
RFID装置（またはタグ）は、特に物流用途等においては、１つのRFID装置と一体化したラベルが世界中を貼付対象物とともに移動していくケースがあり、各国での周波数帯に対応する必要がある。
例えば１つのRFIDを複数の周波数帯で動作させることが可能なRFIDとして、誘電体シート上に導電性パターンにより形成された９００ＭＨｚ帯に共振する折り返しダイポールアンテナに、誘電体シートを挟んだ折り返しダイポールアンテナの反対側に導電性パターンにより形成された２．４ＧＨｚ帯に共振する半波長の無給電素子を配置し、２つの周波数帯に対しインピーダンス整合を果たす事により、２つの周波数帯で動作する無線タグを提供することができる技術が開示されている。（特許文献１）。
また、万が一RFID装置が壊れた場合、目視で確認可能なようにRFIDの中身の情報をラベルに印刷しているケースがある。
【０００３】
【特許文献１】特開２００５−２３６４６８号公報
【発明の開示】
【発明が解決しようとする課題】
【０００４】
しかし、対応しなければならない周波数帯がさらに増えると、アンテナ設計は非常に難しくなる。また周波数帯だけではなく、異なるプロトコルへの対応も求められている。また万が一RFID装置が壊れた場合ラベルを目視で確認するためには、非常に時間がかかり、さらに情報量が大きくなると印刷するスペースがなくなる可能性もある。
【０００５】
本発明では、１つのRFID装置の中に、複数の同一または異なる周波数帯や通信方式に対応したRFID部を備えることで、異なる通信方式に対応できるようになり、万が一１つのRFID部が壊れた場合でもRFID装置の中身の情報を読み出すことが可能になる。さらに複数のＩＤを認識してはじめてRFID装置を正しく認識することで、セキュリティを高めて安心して利用できるRFIDシステムを簡単な仕組みで提供することを目的とする。
【課題を解決するための手段】
【０００６】
本発明は、無線を用いてRFIDリーダライタ装置から電力の供給を受けて動作する複数のRFIDタグ部を有するRFIDタグ(装置)において、前記RFIDタグ部(またはRFID部)は、電波で信号の送受信を行うためのアンテナ部と、前記アンテナ部で受信した電波から動作電力を生成する起電力部と、前記信号のアナログ処理を行うRF部と、データを記憶するデータ記憶部と、前記RFIDリーダライタ装置とのコマンドデータ送受信処理や内部状態管理を行うRFIDプロトコル処理部と、を有し、個々のRFIDタグ部のうち少なくとも１つは自身のRFIDプロトコル処理部とは異なるプロトコルのRFIDプロトコル処理部をさらに有し、前記RFIDプロトコル処理部は、個々のRFIDタグ部で同一または異なるように構成され、個々のRFIDタグ部間でコマンドデータ通信可能なように構成した。
【０００７】
また、本発明は、前記RFIDタグ部のRFIDプロトコル処理部として、前記RFIDリーダライタ装置からRFIDタグ間通信を指示するコマンドデータ処理部を備え、前記RFID間通信を指示するコマンドデータを受信した場合に、他のRFIDタグ部とコマンドデータ通信を行うように構成した。
また、本発明は、前記個々のRFIDタグ部が、無線または有線によるRFID部間通信により、自身のデータ記憶部のデータまたはプロトコル処理部の内部データを、限定された特定のRFID部からのみ参照されるように構成した。
また、本発明は、前記RFIDタグ部間でコマンドデータ通信を行う場合に、前記起電力部により生成した電力の一部を、通信する相手のRFIDタグ部に供給するように構成した。
また、本発明によるRFIDタグ部間通信処理が可能なRFIDリーダライタ装置において、電波で信号の送受信を行うためのアンテナ部と、無線アナログ処理を行うRF部と、複数のRFIDタグ部を備えRFIDタグ部間通信が可能なRFIDタグとのコマンドデータ送受信処理を行う１つまたは異なる複数のプロトコルのリーダライタプロトコル処理部と、を備え、前記リーダライタプロトコル処理部が、特定のRFIDタグ部に対し、RFIDタグ部間通信を実行させ、前記RFIDタグ部が他のRFIDタグ部とRFID部間通信を行うことによって得た結果を受信して処理するように構成した。
【０００８】
これにより、１つのRFID装置の中に、複数のRFID部を具備することで、一つのRFID部が故障しても残りのRFID部で動作が可能となり、また、少なくとも１つのRFID部が複数のRFIDプロトコルを搭載することで、タグ間通信が可能となる。
また、各RFID部が異なるプロトコルを搭載することで、複数のプロトコルに簡単に対応可能となり、また、各RFID部間で一部または全部の構成要素を共通化することで、より小型化が可能となる。
また、複数のRFID部の認識を成功することで、RFID装置の認識を成功とすることで、よりセキュリティを高めることが可能となる。
【発明の効果】
【０００９】
本発明によれば、RFID装置の異なる周波数や通信方式への対応や、故障時のＩＤデータの読出し、およびセキュリティを高める仕組みを、簡単に提供することができる。
【発明を実施するための最良の形態】
【００１０】
以下、本発明の実施例を、図面を参照しながら説明していく。
図１は、本発明の一実施例に係る、複数のRFID部(またはRFIDタグ部)を搭載したRFID装置(またはRFIDタグ)とRFIDリーダライタ装置からなるRFIDシステムの構成を示した図である。RFID装置１００はRFID部Ａ１０１と、RFID部Ｂ１０２から構成されており、RFIDリーダライタ装置１０３は、リーダライタ装置本体１０４とアンテナ１０５から構成されている。
【００１１】
図２は、RFID装置１００の主要な構成を示した図である。この例では１つのRFID装置の中に、アンテナ長を変化させて通信距離が異なるようにセッティングされた以外は、全く同じRFID部が２つ搭載されている。
RFID装置１００は、RFID部Ａ１０１とRFID部Ｂ１０２から構成されており、RFID部Ａ１０１には、RFIDリーダライタ装置１０３とのコマンドデータ送受信を行うアンテナ２００と、送受信コマンドデータの変調や復調などの処理を行うＲＦ部２０１と、アンテナ２００から受信した電波を整流し動作電力を発生させる起電力部Ａ２０３と、受信したコマンドデータに従いプロトコルの処理を行い内部状態データ等を保持するRFIDプロトコル（1）処理部Ａ２０４と、ＩＤデータやユーザデータを記憶するデータ記憶部Ａ２０５を具備している。
【００１２】
RFID部Ｂ１０２は、アンテア２００と比較して、RFIDリーダライタ装置１０３とのコマンドデータ送受信をより短い距離で通信を行うアンテナ２０６と、送受信コマンドデータの変調や復調などの処理を行うＲＦ部Ｂ２０８と、アンテナ２００から受信した電波を整流し動作電力を発生させる起電力部Ｂ２０７と、受信したコマンドデータに従いプロトコルの処理を行い内部状態データ等を保持するRFIDプロトコル（1）処理部Ｂ２０９と、ＩＤデータやユーザデータを記憶するデータ記憶部Ｂ２１０とを具備している。
記憶部Ａ２０５や記憶部２１０は書換え可能なＥＥＰＲＯＭも、書換え不可能なＲＯＭでも構わない。
その他RFIDプロトコル処理部が同一ではなく別のプロトコルを処理するものを搭載する構成や、３つ以上RFID部を搭載する構成も考えられる。
【００１３】
図３は、RFID装置１００の別の構成例を示した図である。
RFID装置１００は、RFID部Ａ１０１とRFID部Ｂ１０２から構成されており、RFID部Ａ１０１には、新たにRFID部Ｂ１０２に電力を供給するための電力供給スイッチ部３００と、RFID部Ａ１０１がRFID部Ｂ１０２とアンテナ２００とアンテナ２０６を通じた無線通信によってタグ間通信を実現するために、RFIDＢ１０２のプロトコルに対応するRFIDプロトコル（2）処理部３０１を具備している。
【００１４】
RFID部Ｂ１０２は、受信したコマンドデータに従いRFID部１０１と異なるプロトコルの処理を行い内部状態データ等を保持するRFIDプロトコル（2）処理部３０２とを具備している。
その他、電力供給スイッチ部３００からは、起電力部Ａ２０３で発生させた電力を、RFID部１０２に供給するための電力供給接続線３０３が具備されている。
【００１５】
図４は、RFID装置１００の別の構成例を示した図である。
RFID部Ａ１０１がRFID部Ｂ１０２と有線接続によるタグ間通信を実現するために、タグ間通信用の内部接続線４００を新たに具備している。この内部接続線により、お互いの記憶部のデータや、プロトコル処理部の内部データを参照することが可能になる。もちろん必要に応じて複数の信号接続線が接続されてもよい、
図５は、RFID装置１００の別の構成例を示した図である。２種類のプロトコルに対応するための各構成要素の一部が共用化されており、２種類のプロトコルに対応した共通ＲＦ部５００と、共通起電力部５０１と、２種類のプロトコルを処理する共通RFIDプロトコル処理部５０２の中にプロトコル（1）処理部２０４とプロトコル（2）処理部３０２が備わり、共通のデータ記憶部である共通記憶部５０３が具備されている。
たとえば記憶部やRF部は完全に別に持たせるなど、本例以外の共通化構成パターンはいくつも考えられる。
【００１６】
図６は、リーダライタ装置１０３の主要な構成例を示した図である。
リーダライタ装置１０３は、リーダライタ本体１０４とRFID装置１００とコマンドデータの送受信を行うアンテナ１０５から構成されている。ＲＦリーダライタ本体１０４には、送受信コマンドデータの変調や復調などの処理を行うＲＦ部６００と、プロトコル（1）のコマンドデータに従いプロトコルの処理を行い、内部状態データ等を保持すリーダライタプロトコル（1）処理部６０１と、必要に応じてホスト装置との接続を行うための外部Ｉ／Ｆ部６０２を具備している。
各種プロトコルに対応するため、複数のリーダライタプロトコル処理部を搭載してもよい。
【００１７】
図７は、リーダライタ装置１０３から、RFID装置１００に送信されるコマンドデータフォーマットの例である。コマンドデータは、コマンド部７００とデータ部７０１から構成されている。コマンド部７００には、RFID部に対する命令が入り、データ部には、コマンドごとに必要な値がセットされる。応答データは、応答データ７０２に格納されて応答される。
【００１８】
図８は、リーダライタ装置１０３から送信されるコマンドデータの一部の例を示した図である。各コマンドデータはリーダライタプロトコル処理部６０１に格納されている。
コマンドデータ表８００は、コマンド値８０１、コマンドの意味８０２、データ値８０３、データ値の意味８０４から構成される。例えばコマンド値'１０'の意味は、ＩＤ（Ａ）読取りである。このコマンドをリーダライタ装置１０３がアンテナ１０５を通じてプロトコル（1）に従い送信し、RFID部Ａ１０１が正しく受信を行うとＩＤ（Ａ）を応答する。
コマンド値'１１'の意味は、ＩＤ（Ｂ）読取りである。
【００１９】
このコマンドをリーダライタ装置１０３がアンテナ１０５を通じてプロトコル（2）に従い送信し、RFID部Ｂ１０２が正しく受信を行うとＩＤ（Ｂ）を応答する。
コマンド値'１２'の意味は、ＩＤ（Ａ，Ｂ）読取りである。プロトコル（1）によりRFID（A）に対し、RFID(B)とのRFID部間通信を実行させRFID(A)のIDとRFID(B)のIDを取得する。このコマンドをリーダライタ装置１０３がアンテナ１０５を通じてプロトコル（1）に従い送信し、RFID部Ａ１０１が正しく受信と処理を成功すると、ＩＤ（Ａ）とＩＤ（Ｂ）を応答する。
もちろんコマンド長やデータ長、それぞれの値や意味は、それぞれのRFIDシステムでは異なる場合がある。
【００２０】
図９は、リーダライタ装置１０３が、RFID装置１００の複数のＩＤを認識するためRFID部Ａ１０１と、RFID部Ｂ１０２から、どのようなコマンドシーケンスでＩＤデータそれぞれ読取るかを示した例である。リーダライタ装置１０３とRFID部Ａ１０１とRFID部Ｂ１０２のコマンドデータの送受信は、まずリーダライタ装置１０３から、コマンドデータを電波に乗せて送信し、それを受けたRFID部Ａ１０１とRFID部Ｂ１０２が、応答データを反射波に乗せて応答することで行われる。
【００２１】
まず、リーダライタ装置１０３は、RFID部Ａ１０１とRFID部Ｂ１０２を動作させるためにキャリアＯｎ９００を実行すると、電波が放射され、RFID部Ａ１０１とRFID部Ｂ１０２は、起動・初期化処理等が実施される。次にリーダライタ装置１０３は、RFID部Ａ１０１のＩＤを読取るためのＩＤ（Ａ）読取りコマンド送信９０１を実行する。RFID部Ａ１０１はＩＤ（Ａ）を応答し、ＩＤ（Ａ）認識９０２が行われる。
RFID部Ｂ１０２のＩＤを読取るためのＩＤ（Ｂ）読取りコマンド送信９０３を実行する。RFID部Ｂ１０２はＩＤ（Ｂ）を応答し、ＩＤ（Ｂ）認識９０４が行われる。この時点でRFID装置１００の２つのＩＤが認識される。
【００２２】
最後にRFID装置１００はキャリアＯｆｆ９０５を実行し、処理を終了する。
今回はＩＤデータだけの例で説明をしていくが、２つのＩＤデータが互いに関連はするが別のデータであったり、上位システムで検証するデータであったりデータは何でもかまわないが、複数のＩRFID部からのデータを用いて処理を行う点が、セキュリティの観点からは重要である。
もちろんまったく同じＩＤを格納しておき、一方が故障したときのバックアップとしておくこともできる。
【００２３】
図１０は、リーダライタ装置１０３が、RFID装置１００の複数のＩＤを認識するためタグ間通信によって、RFID部Ａ１０１とRFID部Ｂ１０２へ、どのようなコマンドシーケンスでＩＤデータそれぞれ読取るかを示した例である。
まず、リーダライタ装置１０３は、RFID部Ａ１０１とRFID部Ｂ１０２を動作させるためにキャリアＯｎ１０００を実行すると、電波が放射され、RFID部Ａ１０１とRFID部Ｂ１０２は、起動・初期化処理等が実施される。次にリーダライタ装置１０３は、RFID部Ａ１０１に対し、RFID部Ａ１０１のＩＤ（Ａ）とRFID部Ｂ１０２のＩＤ（Ｂ）を読取るためのＩＤ（Ａ、Ｂ）読取り１０００を実行する。
【００２４】
まずRFID部Ａ１０１に対し、ＩＤ（Ａ，Ｂ）読取りコマンドが送信される。ここでコマンドを受信したRFID部Ａ１０１は、搭載しているRFIDプロトコル（2）処理部３０１を用いて、RFID部Ｂ１０２に、ＩＤ（Ｂ）読取りコマンドを送信する。ＩＤ（Ｂ）読取りコマンドを受信したRFID部Ｂ１０２は、ＩＤ（Ｂ）を応答する。ＩＤ（Ｂ）を受信したRFID部Ａ１０１は、RFID部Ａ１０１のＩＤ（Ａ）と共にＩＤ（Ｂ）をＩＤ（Ａ，Ｂ）として応答する。
この時点で、リーダライタ装置１０３はＩＤ（Ａ，Ｂ）を認識し、最後にRFID装置１００はキャリアＯｆｆ９０５を実行し、処理を終了する。
なお、タグ間通信は、接続線４００を用いた通信でももちろんよい。
今回は、ＩＤ（Ａ）とＩＤ（Ｂ）を読取っているが、ＩＤ以外にデータを読取るケースも考えられる。
【００２５】
図１１は、リーダライタ１０３が、RFID装置１００の認識のOK、NGをどのように判断処理されるかの、フロー例を示した図である。
まずRFID装置１００の認識処理の指示がリーダライタプロトコル（1）処理部６０１に届くとステップＳ１１００の処理がスタートし、ステップＳ１１０１に進む。ステップＳ１１０１ではコマンドデータＩＤ（Ａ、Ｂ）読取りをプロトコル（1）に従い送信し、ステップＳ１１０２に進む。ステップＳ１１０２では、RFID装置１００からの応答を待ち、ＩＤ（Ａ、Ｂ）の２つのＩＤを取得成功した場合は、ステップＳ１１０３に進む。失敗した場合は、ステップＳ１１０５に進み、RFID１００の認識を失敗したと判断し、ステップＳ１１０４に進み処理を終了する。
ステップＳ１１０３ではRFID１００の認識を成功したと判断しステップＳ１１０４に進み処理を終了する。
今回はリーダライタ内部で認識の判断をしたが、上位システムで認識や処理を行うケースも考えられる。
【００２６】
図１２は、RFID装置１００のRFID部Ａ１０１が、リーダライタ１０３からのＩＤ（Ａ，Ｂ）読取りコマンドを受信した場合にどのように処理するかの、フロー例を示した図である。
まずリーダライタ１０３からのＩＤ（Ａ，Ｂ）読取りコマンドを受信するとステップＳ１２００の処理がスタートし、ステップＳ１２０１に進む。ステップＳ１２０１ではコマンドデータＩＤ（Ｂ）読取りをプロトコル（2）に従い送信し、ステップＳ１２０２に進む。ステップＳ１２０２では、RFID部Ｂ１０２からの応答を待ち、ＩＤ（Ｂ）のＩＤを取得に成功した場合は、ステップＳ１２０３に進む。失敗した場合は、ステップＳ１２０５に進み、ＩＤ（Ｂ）の読取り失敗応答を行い、ステップＳ１２０４に進み処理を終了する。
ステップＳ１２０３では、ＩＤ（Ａ）とＩＤ（Ｂ）の応答を行い、ステップＳ１２０４に進み処理を終了する。
【産業上の利用可能性】
【００２７】
以上、説明したように、本発明に係るRFIDシステムは、簡単に異なる通信方式への対応や、故障時のＩＤデータ読み出し、およびセキュリティを高めることをできるRFIDシステムとして有効である。
【図面の簡単な説明】
【００２８】
【図１】本発明の実施例にかかる、RFID装置、リーダライタ装置の構成の例を示した図である。
【図２】本発明の実施例にかかる、RFID装置の内部構成の例を示した図である。
【図３】本発明の実施例にかかる、RFID装置の内部構成の例を示した図である。
【図４】本発明の実施例にかかる、RFID装置の内部構成の例を示した図である。
【図５】本発明の実施例にかかる、RFID装置の内部構成の例を示した図である。ある。
【図６】本発明の実施例にかかる、リーダライタ装置の内部構成の例を示した図である。
【図７】本発明の実施例にかかる、コマンドデータフォーマットの例を示した図である。
【図８】本発明の実施例にかかる、コマンドデータの値や意味の例を示した図である。
【図９】本発明の実施例にかかる、リーダライタ装置とRFID装置間のコマンドシーケンスの例を示した図である。
【図１０】本発明の実施例にかかる、リーダライタ装置とRFID装置間のコマンドシーケンスの例を示した図である。
【図１１】本発明の実施例にかかる、リーダライタが複数のRFID部のＩＤを取得することによるRFID装置の認識処理のフロー例を示した図である。
【図１２】本発明の実施例にかかる、RFID装置がリーダライタからの指示によりタタグ間通信を行いリーダライタ装置に応答するかの処理フロー例を示した図である。
【符号の説明】
【００２９】
１００  RFID装置
１０１  RFID部Ａ
１０２  RFID部Ｂ
１０３  RFIDリーダライタ装置
１０４  リーダライタ本体
１０５  アンテナ
２００  アンテナ
２０１  ＲＦ部
２０３  起電力部
２０４  RFIDプロトコル（1）処理部
２０５  記憶部
２０６  アンテナ
２０７  起電力部
２０８  ＲＦ部
２０９  RFIDプロトコル（1）処理部
２１０  記憶部
３００  電力供給スイッチ部
３０１  RFIDプロトコル（2）処理部
３０２  RFIDプロトコル（2）処理部
３０２  電力供給接続線
４００  タグ間通信用内部接続線
５００  共通ＲＦ部
５０１  共通電力部
５０２  共通RFIDプロトコル処理部
５０３  共通記憶部
６００  ＲＦ部
６０１  リーダライタプロトコル処理部
６０２  外部Ｉ／Ｆ部
７００  コマンド値
７０１  データ
７０２  応答データ
８００  コマンドデータ表
【図１】
2007334703.tif 000003
【図２】
2007334703.tif 000004
【図３】
2007334703.tif 000005
【図４】
2007334703.tif 000006
【図５】
2007334703.tif 000007
【図６】
2007334703.tif 000008
【図７】
2007334703.tif 000009
【図８】
2007334703.tif 000010
【図９】
2007334703.tif 000011
【図１０】
2007334703.tif 000012
【図１１】
2007334703.tif 000013
【図１２】
2007334703.tif 000014